(57)【要約】【課題】一層、周囲の自然景観に調和させることができる土木構築物用ブロックを提供する。【解決手段】コンクリートベース１０に複数の自然石１１がそれぞれ部分的に埋設されて、その各自然石１１がコンクリートベース表面１０ａから突出されている。そのコンクリートベース表面１０ａには礫層１２が設けられて、微少な凹凸面が形成されており、そのような礫層１２は、当該土木構築物用ブロック９を、複数の自然石１１と協働して周囲の自然景観に対して調和させると共に、動植物にとって好ましい生息空間を提供することになる。【選択図】        図３
2006169860.tif 000002
【特許請求の範囲】
【請求項１】
コンクリートベースに複数の石がそれぞれ部分的に埋設されて、該各石がコンクリートベースの表面から突出されている土木構築物用ブロックにおいて、
前記コンクリートベースの表面に、外部に対して微少な凹凸面を形成する表面層が設けられている、
ことを特徴とする土木構築物用ブロック。
【請求項２】
請求項１において、
前記表面層が、礫を構成要素とする礫層により形成されている、
ことを特徴とする土木構築物用ブロック。
【請求項３】
請求項１又は２において、
前記各石が、自然石からなる、
ことを特徴とする土木構築物用ブロック。
【請求項４】
コンクリートベース表面に、その全体に亘って、礫を構成要素とした礫層が設けられている、
ことを特徴とする土木構築物用ブロック。
【請求項５】
コンクリートベース表面に、礫を構成要素とした礫層が設けられ、
前記礫層に、複数の石を保持するための複数の凹所が形成されている、
ことを特徴とする土木構築物用ブロック部品。
【請求項６】
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に外力を付与して、該混合物層を砂層と礫層とに分離すると共に該砂層を該礫層に比して下側に位置するようにし、
次に、前記型枠内に該型枠の上側からコンクリートを充填して、該型枠内で、前記各石と前記礫層とを一体化したコンクリートベースを作る、
ことを特徴とする土木構築物用ブロックの製造方法。
【請求項７】
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に外力を付与して、該混合物層を砂層と礫層とに分離すると共に該砂層を該礫層に比して下側に位置するようにし、
次に、前記型枠内に該型枠の上側からコンクリートを充填して、該型枠内で、前記礫層を一体化したコンクリートベースを作る、
ことを特徴とする土木構築物用ブロックの製造方法。
【請求項８】
請求項６又は７において、
前記混合物層を砂層と礫層とに分離すると共に該砂層を該礫層に比して下側に位置させることが、該混合物層に対して散水することである、
ことを特徴とする土木構築物用ブロックの製造方法。
【請求項９】
請求項８において、
前記型枠として、上下開口を有するものが用いられ、
前記型枠が、排水孔を有する支持台上に透水性シートを介して載置されている、
ことを特徴とする土木構築物用ブロックの製造方法。
【請求項１０】
請求項６又は７において、
前記混合物層を砂層と礫層とに分離すると共に該砂層を該礫層に比して下側に位置させることが、該混合層に対して振動を与えることである、
ことを特徴とする土木構築物用ブロックの製造方法。
【請求項１１】
請求項６又は７において、
前記型枠内からの前記コンクリートベースの脱型に際して、該型枠の上方領域において該コンクリートベースを、前記礫層が下側を向くようにしつつ吊り上げ、その状態で、該コンクリートベースに一体化した礫層に外力を付与する、
ことを特徴とする土木構築物用ブロックの製造方法。
【請求項１２】
請求項１１において、
前記コンクリートベースに一体化した礫層に外力を付与することが、高圧水の供給により行われる、
ことを特徴とする土木構築物用ブロックの製造方法。
【発明の詳細な説明】
【技術分野】
【０００１】
本発明は、土木構築物用ブロック、土木構築物用ブロック部品、及び土木構築物用ブロックの製造方法に関する。
【背景技術】
【０００２】
土木構築物用ブロックには、特許文献１に示すように、コンクリートベースに複数の自然石を部分的に突出させつつ埋設したものがある。このような土木構築物用ブロックを法面等の施工面に敷設してその施工面を覆うようにすれば、護岸等の土木構築物を簡単に構築できると共に、その土木構築物を周囲の自然景観に調和させることができることになる。
【特許文献１】特開平５−９６５１７号公報
【発明の開示】
【発明が解決しようとする課題】
【０００３】
しかし、上記土木構築物用ブロックにおいては、複数の自然石により周囲の自然景観に調和させることができるものの、コンクリートベース表面は、相変わらず、コンクリートがむき出しの状態にあり、周囲の自然景観に調和させることにも、自ずと限界がある。
【０００４】
本発明は、このような事情に鑑みてなされたもので、その第１の技術的課題は、一層、周囲の自然景観に調和させることができる土木構築物用ブロックを提供することにある。
第２の技術的課題は、上記土木構築物用ブロックに用いられる土木構築物用ブロック部品を提供することにある。
第３の技術的課題は、上記土木構築物用ブロックを製造する土木構築物用ブロックの製造方法を提供することにある。
【課題を解決するための手段】
【０００５】
上記第１の技術的課題を達成するために本発明（請求項１に係る発明）にあっては、
コンクリートベースに複数の石がそれぞれ部分的に埋設されて、該各石がコンクリートベースの表面から突出されている土木構築物用ブロックにおいて、
前記コンクリートベースの表面に、外部に対して微少な凹凸面を形成する表面層が設けられている、
ことを特徴とする土木構築物用ブロックとした構成としてある。この請求項１の好ましい態様としては、請求項２、３の記載の通りとなる。
【０００６】
上記第１の技術的課題を達成するために本発明（請求項４に係る発明）にあっては、
コンクリートベース表面に、その全体に亘って、礫を構成要素とした礫層が設けられている、
ことを特徴とする土木構築物用ブロックとした構成としてある。
【０００７】
上記第２の技術的課題を達成するために本発明（請求項５に係る発明）にあっては、
コンクリートベース表面に、礫を構成要素とした礫層が設けられ、
前記礫層に、複数の石を保持するための複数の凹所が形成されている、
ことを特徴とする土木構築物用ブロック部品とした構成としてある。
【０００８】
上記第３の技術的課題を達成するために本発明（請求項６に係る発明）にあっては、
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に外力を付与して、該混合物層を砂層と礫層とに分離すると共に該砂層を該礫層に比して下側に位置するようにし、
次に、前記型枠内に該型枠の上側からコンクリートを充填して、該型枠内で、前記各石と前記礫層とを一体化したコンクリートベースを作る構成としてある。この請求項６の好ましい態様としては、請求項８以下の記載の通りとなる。
【０００９】
上記第３の技術的課題を達成するために本発明（請求項７に係る発明）にあっては、
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に外力を付与して、該混合物層を砂層と礫層とに分離すると共に該砂層を該礫層に比して下側に位置するようにし、
次に、前記型枠内に該型枠の上側からコンクリートを充填して、該型枠内で、前記礫層を一体化したコンクリートベースを作る構成としてある。この請求項７の好ましい態様としては、請求項８以下の記載の通りとなる。
【発明の効果】
【００１０】
請求項１に係る発明によれば、コンクリートベース表面に設けられる表面層が、外部に対して微少な凹凸面を形成していることから、平坦な面に比して自然的な変化を印象づけることができることになり、複数の石と協働して、当該土木構築物用ブロックを周囲の自然景観に一層、調和させることができることになる。
また、微少な凹凸面に基づき、植物、藻類（胞子を含む）の着生、苔類の発生を高めることができると共に底生動物の移動を容易にできることになり、各石の周囲を、動植物の生息空間として、より好ましいものとすることができることになる。
【００１１】
請求項２に係る発明によれば、表面層が、礫を構成要素とする礫層により形成されていることから、礫（小石）の自然石としての色彩、特性を生かすことができることになり、前記請求項１に係る周囲の自然景観への調和、動植物の生息空間の形成を、具体的になし得ることができることになる。
【００１２】
請求項３に係る発明によれば、各石が自然石からなることから、表面層の微少な凹凸面と協働して、周囲の自然景観に一層、調和させることができると共に、そのような効果を生じさせる微少な凹凸面を、各自然石の基本的に硬い性質をもって転石等から保護できることになる。
【００１３】
請求項４に係る発明によれば、コンクリートベース表面に、その全体に亘って、礫を構成要素とした礫層が設けられていることから、礫（小石）の自然石としての色彩、特性を生かすことができるばかりでなく、礫層の微少な凹凸面に基づき、植物、藻類（胞子を含む）の着生、苔類の発生を高めることができると共に、底生動物の移動を容易にしてその礫層上での活動を活発にすることができることになる。
【００１４】
請求項５に係る発明によれば、コンクリートベース表面に礫を構成要素とした礫層が設けられ、その礫層に、複数の石を保持するための複数の凹所が形成されていることから、当該土木構築物用ブロック部品を用意し、その各凹所に対して石を部分的に収納すると共に、その凹所内面に対して石を一体化すれば、前記請求項２に係る土木構築物用ブロックを得ることができることになる。このため、請求項２に係る土木構築物用ブロックに用いられる土木構築物用ブロック部品を提供できることになる。
【００１５】
請求項６に係る発明によれば、型枠内に、該型枠下部において、礫と該礫よりも小さい砂との混合物からなる混合物層を形成すると共に、その混合物層に複数の石を部分的に埋設して該各石を混合物層から突出させた状態とした上で、その型枠内へのコンクリートの充填前に、混合物層に外力を付与することから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それらの層は、礫層が砂層よりも上側に位置することになる。このため、この後、型枠内にコンクリートを上側から充填すると、コンクリートは、各石の上部を包み込むと共に、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）に対し各石と礫層とが一体化することになる。これにより、型枠内のコンクリートの硬化後、それを脱型すれば、砂層が型枠内に残る一方、各石と礫層とが一体化したコンクリートベースが型枠内から取り出されることになり、請求項２に係る土木構築物用ブロックを得ることができることになる。
この場合、一般的に存在する砂と礫との混合物に対して外力を及ぼして、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できることになる。
【００１６】
請求項７に係る発明によれば、型枠内に、該型枠下部において、礫と該礫よりも小さい砂との混合物からなる混合物層を敷き詰めた状態とした上で、その型枠内へのコンクリートの充填前に、混合物層に外力を付与することから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それら層は、礫層が砂層よりも上側に位置することになる。このため、この後、型枠内にコンクリートを上側から充填すると、コンクリートは、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）には礫層が一体化することになる。これにより、型枠内のコンクリートの硬化後、それを脱型すれば、砂層が型枠内に残る一方、礫層が一体化したコンクリートベースが型枠内から取り出されることになり、請求項４に係る土木構築物用ブロックを得ることができることになる。
この場合、一般的に存在する砂と礫との混合物に対して外力を及ぼして、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できることになる。
【００１７】
請求項８に係る発明によれば、混合物層を砂層と礫層とに分離すると共に該砂層を該礫層に比して下側に位置させることが、該混合物層に対して散水することであることから、型枠内で混合層内を流下する流れに乗って、粒子径の小さい砂粒子が、粒子径の大きい礫に比して下方側に移動することになり、混合層が砂層と礫層とに分離し、該砂層が該礫層に比して下側に位置することになる。このため、散水という極めて簡単で且つありふれた方法により、具体的に、混合物層を砂層と礫層とに分離できると共に該砂層を該礫層に比して下側に位置させることができることになる。
【００１８】
請求項９に係る発明によれば、型枠として、上下開口を有するものが用いられ、その型枠が、排水孔を有する支持台上に透水性シートを介して載置されていることから、型枠内の混合物層に散水された水は、透水性シート、支持台の排水孔を介して排水されることになり、その連続水に乗せて混合物層の砂を混合物層の下側領域に的確に集める（移動させる）ことができることになる。
【００１９】
請求項１０に係る発明によれば、混合物層を砂層と礫層とに分離すると共に該砂層を該礫層に比して下側に位置させることが、該混合層に対して振動を与えることであることから、その振動に基づき、粒子径の小さい砂粒子が、粒子径の大きい礫に比して下方側に移動することになり、混合層が砂層と礫層とに分離し、該砂層が該礫層に比して下側に位置することになる。このため、振動という極めて簡単で且つありふれた方法により、具体的に、混合物層を砂層と礫層とに分離できると共に該砂層を該礫層に比して下側に位置させることができることになる。
【００２０】
請求項１１に係る発明によれば、型枠内からのコンクリートベースの脱型に際して、該型枠の上方領域において該コンクリートベースを、前記礫層が下側を向くようにしつつ吊り上げ、その状態で、該コンクリートベースに一体化した礫層に外力を付与することから、礫として、コンクリートベースに強固に固着されているもののみを残り、コンクリートベースに対して一体化力の弱いものは型枠内に脱離することになる。このため、コンクリートベースに対する礫層の一体化強度を所定以上に確保できると共に、脱離された礫を型枠内に回収して、その礫を再度利用できることになる。
【００２１】
請求項１２に係る発明によれば、コンクリートベースに一体化した礫層に外力を付与することが、高圧水の供給により行われることから、不安定な吊り上げ状態にあっても、コンクリートベースに一体化している礫層に対して外力を的確に付与することができることになり、前記請求項１１と同様の作用効果を具体的且つ的確に得ることができることになる。
【発明を実施するための最良の形態】
【００２２】
以下、本発明の実施の形態について図面を参照して詳細に説明する。
図１〜図１２は第１実施形態を示す。その第１実施形態に係る護岸構造１においては、図１に示すように、施工面（法面）２が河川５側から陸上側に向うに従って上方に向って延びるよう傾斜されている。その施工面２の下端位置には基礎ブロック３が河川水の流れ方向（紙面直角方向）に延びるようにして配置され、その施工面２の上端位置には天端ブロック４が河川水の流れ方向（紙面直角方向）に延びるようにして配置されている。
【００２３】
前記施工面２上には、その全体において、図１に示すように、吸い出し防止シート又は防草防根シートとして敷設シート８が敷設されている。敷設シート８は、透水性、通気性を確保しつつ、土砂等の流失を防止すると共に、植物の根が地中に向けて成長することを抑制する機能（強度）、防草機能を有しており、その機能を発揮するため、その敷設シート８として、例えば、ポリエステル等の長繊維不織布等が用いられている。
【００２４】
前記施工面２上には、図１〜図３に示すように、護岸機能を発揮することを主目的として、前記敷設シート８を介して複数の土木構築物用ブロック９が敷設されている。この複数の土木構築物用ブロック９は、護岸表面に配置されて、施工面（敷設シート８）２のほぼ全体を覆うことになっている。
【００２５】
尚、図１においては、施工面２の下半分と上半分とで土木構築物用ブロック９群が異なった状態で示されているが、いずれも同じ土木構築物用ブロック９が用いられており、土木構築物用ブロック９の状態を理解し易くするため、便宜上、上半分の土木構築物用ブロック９群については、植物６が部分的に生育されている状態が示されている。これらの各内容については、後に詳述する。
【００２６】
前記各土木構築物用ブロック９は、図２〜図４に示すように、コンクリートベース１０と、複数の石としての自然石１１と、表面層としての礫層１２とを備えている。コンクリートベース１０は、一定厚みの下で平面視略正方形状に形成されている。具体的には、厚みが１３０ｍｍ前後、その正方形状の一辺が１０００ｍｍ前後とされている。このコンクリートベース１０の周面は、その四隅において角部が取られて、角面１３がそれぞれ形成されており、その各角面１３は、互いに対角配置にあるものに関し、平行状態とされている。また、コンクリートベース１０には、正方形状の各辺が位置する周面において、凹所１４がそれぞれ形成されている。この各凹所１４は、各辺の延び方向略中央部に位置されて、その周面部分が内方に引っ込むように形成されており、その各凹所１４は、各辺の延び方向における長さである幅間隔は、内方に向うに従って狭まることになっている。
尚、コンクリートベース１０の上面周縁部に面取りが施されており、その面取り部分を符号３４をもって示す。
【００２７】
前記複数の自然石１１は、図２〜図４に示すように、前記コンクリートベース１０に該コンクリートベース１０の表面１０ａから突出するように設けられている。この各自然石１１としては、例えば１０〜３０ｃｍ程度のものもが用いられ、その自然石１１の２／３程度の部分がコンクリートベース１０内に埋め込まれ、残りの１／３程度の部分（上部：５０ｍｍ程度）がコンクリートベース表面１０ａから上方に突出されている。この各自然石１１の上部は、コンクリートベース表面１０ａに満遍なく配置されていると共に、他の自然石１１に対してある程度、離間された状態となっており、美観が考慮されている。
【００２８】
前記礫層１２は、図２〜図４に示すように、前記コンクリートベース１０の表面１０ａに設けられている。この礫層１２は、本実施形態においては、１０ｍｍ以下の礫（小石）１２ａをもって層状に構成されており、その礫層１２は、前記複数の自然石１１が存在しないコンクリート表面１０ａ部分において設けられている。この礫層１２の各礫１２ａは、コンクリートベース１０の表面１０ａ部に保持され、その各礫１２ａに基づき、礫層１２の表面には微少な凹凸面が形成されている。
【００２９】
前記コンクリートベース１０の各角面１３には、図３、図４に示すように、連結部１５が突出するようにそれぞれ設けられている。この連結部１５は、略Ｕ字形状に形成されており、その連結部１５に対して、他のコンクリートベース１０の連結部１５との連結のために、連結具としての連結コイル１６（図５参照）が連結できることになっている。本実施形態においては、図３、図４に示すように、対向配置される角面１３から突出する２つの連結部１５が、連結線部１７をもって一体的に連結されており、その連結線部１７はコンクリートベース１０内において、対向配置される角面１３間において延びるように配置されることになっている。
【００３０】
このような土木構築物用ブロックは、図２に示すように、敷設シート８（施工面２）上において隣り合うことになる土木構築物用ブロック９に対して各辺が突き合わせるように配置され、各土木構築物用ブロック９の角部においては、図５に示すように、それを含む４つの土木構築物用ブロック９の角面１３が区画空間１８を形成し、その区画空間１８内にその４つの土木構築物用ブロック９の連結部１５が配置されることになっている。この４つの連結部１５は、連結コイル１６により一体化され、各土木構築物用ブロック９は、互いに連結されることになっている。
また、各隣り合う土木構築物用ブロック９は、その各土木構築物用ブロック９の凹所１４が協働して区画空間１９を形成することになっており、その各区画空間１９には、土が投入されて植物６が生育されることになっている。
【００３１】
尚、施工面２の下部に関しては、当該土木構築物用ブロック９の敷設後、埋め戻されて、その上方側に床面（河床等）が形成されることになっている。
【００３２】
したがって、護岸構造１において、各コンクリートベース表面１０ａに設けられる表面１０ａ層が、礫層１２をもって微少な凹凸面を形成していることから、礫１２ａの自然石１１としての色彩、特性を生かし、平坦な面に比して自然的な変化を印象づけることができることになり、複数の自然石１１と協働して、当該土木構築物用ブロック９を周囲の自然景観に調和させることができることになる。
また、礫層１２の微少な凹凸面に基づき、植物、藻類（胞子を含む）の着生、苔類の発生を高めることができると共に底生動物の移動を容易にできることになり、各自然石１１の周囲を、動植物の生息空間として、より好ましいものとすることができることになる。
【００３３】
次に、上記土木構築物用ブロック９の製造方法について説明する。
先ず、図６に示すように、支持台２０上に透水性シート２１を敷き、その透水性シート２１上に型枠２３を載置する。
前記支持台２０としては、その上部２０ａに排水孔（図示略）を有するものが用いられており、その支持台２０の上部２０ａに水が供給されても、その水は下方側に排水されることになっている。具体的には、この支持台２０は、荷役搬送用のいわゆるパレットと同様の構成とされており、その支持台２０には、その上部２０ａと下部２０ｂとの間において、フォークリフトのフォーク部を挿入するためのフォーク部挿入口２２が設けられていると共に、その上部２０ａには、フォーク部挿入口２２に上部２０ａ上方が臨むようにすべく、構成材を用いて、前記排水孔としてスリット（図示略）が形成されている。
前記透水性シート２１としては、前記敷設シート８と同様、通気性、透水性を有していると共に、土砂等の通過を規制する機能を有するものが用いられている。
前記型枠２３としては、前記コンクリートベース１０を形成すべく、一辺が１０００ｍｍ前後とされた平面視正方形状とされ、その上下面が開口されたものが用いられている。この型枠２３の下面２０ｂ開口は、支持台２０に対する載置時に、透水性シート２１により覆われることになっており、そのとき、その透水性シート２１は型枠２３の底面を構成することになる。
【００３４】
次に、図７に示すように、型枠２３内に、該型枠２３下部において、礫１２ａと該礫１２ａよりも小さい砂２４ａとからなる混合物層２５を形成すると共に、その混合物層２５に複数の自然石１１を部分的に埋設して該各自然石１１を混合物層２５から突出させた状態とする。
この場合、複数の自然石１１を型枠２３内に配置してから、礫１２ａ、砂２４ａからなる混合物層２５を型枠２３内下部に形成してもよいし、混合物層２５を型枠２３内下部に形成してから、その混合物層２５に各自然石１１の一部が埋設されるようにして該各自然石１１を混合物層２５から突出させるようにしてもよい。
【００３５】
次に、図７に示すように、型枠２３内の混合物層２５に対して、外力を付与すべく、散水する。混合物層２５を、砂層２４と礫層１２とに分離すると共に、その砂層２４を礫層１２よりも下側に位置させるためである。
前記散水は、通常の供給ホース２６を通じて水２７を混合物層２５に供給することになるが、その水２７は、図７に示すように、混合物層２５、透水性シート２１、支持台２０の上部２０ａ（排水孔（スリット））を通過して外部に排水されることになっている。
この場合、混合物層２５に水２７が供給されると、礫１２ａよりも径が小さい砂２４ａが水２７の流れに乗って下方側に移行することになるが、礫１２ａは、径が砂２４よりも大きいことから、互いが衝突しあって下方に流れることが規制され、図８に示すように、砂層２４が礫層１２よりも下方側に位置されることになる。このため、礫層１２では比較的大きな空隙を形成しつつ空隙率が大きくなり、砂層２４では、砂２４ａが礫１２ａよりもかなり小さいことに基づき空隙率は小さくなる（密度が高められる）。
【００３６】
次に、図９に示すように、型枠２３の上側から、該型枠２３内にコンクリート２８を充填する。型枠２３の空間部分にコンクリート２８を充填してコンクリートベース１０を形成するためである。
この場合、礫層１２の空隙率が比較的大きな空隙をもって大きくされ、砂層２４が緻密な状態にあることから、図１０に示すように、コンクリート２８は、礫層１２内に進入する一方、砂層２４によりその流下が止められ、礫層１２の各礫１２ａはコンクリート２８により保持されることになる。尚、図９中、符号３２はシャベルである。
【００３７】
次に、図１１に示すように、型枠２３内のコンクリート２８の硬化を待って、脱型を行う。この脱型においては、コンクリート２８が砂層２４内に進入できないことから、礫層１２とコンクリートベース１０の一体化物２９が脱型されることになる。
この脱型に際しては、一体化物２９は、しばらくの間、礫層１２側を下方に向けつつ、吊り上げられた状態とされ、その吊り上げ状態において、外力として高圧水３３を前記一体化物２９の礫層１２に付与する。コンクリートベース１０の表面１０ａに対して弱い一体化力をもって一体化している礫１２ａを払い落として、礫層１２として、コンクリートベース１０の表面１０ａに強固に一体化しているもの（一定の一体化強度以上のもの）のみを確保するためである。この場合、この一体化物２９の吊り上げ状態は、型枠２３の上方領域において維持される。高圧水２７により払い落とされる砂２４を型枠２３内（支持台２０）で受け止めて、砂２４の回収を容易にするためである。
【００３８】
この後、図１２に示すように、一体化物２９を、礫層１２側が上を向くように反転させた状態で所定位置に置き、当該土木構築物用ブロック９を得る。
【００３９】
図１３は第２実施形態、図１４は第３実施形態、図１５は第４実施形態を示す。この各実施形態において、前記第１実施形態と同一構成要素については同一符号を付してその説明を省略する。
【００４０】
図１３に示す第２実施形態は、コンクリートベース１０の表面１０ａ全体に対して礫層１２が一体的に設けられたものを示している。この第実施形態に係る土木構築物用ユニットにおいても、礫１２ａ（小石）の自然石としての色彩、特性を生かすことができることになり、周囲の自然景観に調和させることができることになる。
また、礫層１２の表面１０ａにおいて、微少な凹凸面、微少な空隙を得ることができることになり、植物、藻類（胞子を含む）の着生、苔類の発生を高めることができると共に、底生動物の移動を容易にしてその礫層１２上での活動を活発にすることができることになる。
【００４１】
図１４に示す第３実施形態は、土木構築物用ブロック９を製造するに際して、前記第１実施形態に係る製造方法とは異なる方法により製造するための土木構築物用ブロック９の部品３０を示す。この土木構築物用ブロック９の部品３０は、コンクリートベース１０の表面１０ａに、自然石１１の一部を収納するための凹所３１が複数形成されていると共に、その各凹所３１を除くコンクリートベース表面１０ａにおいて、礫層１２が一体的に設けられている。この土木構築物用ブロック９の部品３０は、土木構築物用ブロック９の製造に際して、その各凹所３１内に接着剤、コンクリート等（図示略）が投入されると共に自然石１１の一部（全体の２／３程度）が収納され、コンクリートベース１０に各自然石１１が固着されることになっている。これにより、コンクリートベース１０の表面１０ａから各自然石１１の一部が突出すると共に、そのコンクリートベース１０の表面１０ａに礫層１２が一体的に設けられた土木構築物用ブロック９が製造されることになる。
上記第３実施形態においては、凹所３１が礫層１２とコンクリートベースとに対して形成されているが、礫層１２の厚みが厚くなるときには礫層１２のみ凹所３１を形成してもよい。
【００４２】
図１５に示す第４実施形態は、コンクリートベース１０の周縁部における一部の凹所１４を比較的大きな円弧状に形成したものを示している。これにより、当該コンクリートベース１０を用いた土木構築物用ブロック９を施工面２（敷設シート８）上に敷設した場合には、隣り合うコンクリートベース１０間において、大きな円状の区画空間１９が形成されることになり、その区画空間に土を投入して植物を繁茂させることができることになる。
【００４３】
以上実施形態について説明したが本発明にあっては、次のような態様を包含する。
（１）石として、自然石１１の他に、擬石等を用いること。
（２）河川５における護岸１を対象とする場合に限らず、湖水２７、海における護岸等にも本発明を適用すること。
（３）混合物層２５を砂層２４と礫層１２とに分離すると共に砂層２４を礫層１２の下側に位置させるために、外力付与手段として、バイブレータ等を用い、そのバイブレータ等による振動を混合物層２５に付与すること。
（４）セラミックス、瓦、スラグ、ガラス等を単一的又は複合的に１０ｍｍ以下に破砕し、それを構成要素として表面層を形成すること。
【００４４】
尚、本発明の目的は、明記されたものに限らず、実質的に好ましい或いは利点として記載されたものに対応したものを提供することをも含むものである。
【図面の簡単な説明】
【００４５】
【図１】第１実施形態に係る護岸構造を説明する説明図。
【図２】第１実施形態に係る土木構築物用ブロックの敷設状態を示す斜視図。
【図３】第１実施形態に係る土木構築物用ブロックを示す斜視図。
【図４】第１実施形態に係る土木構築物用ブロックを示す縦断面図。
【図５】各土木構築物用ブロックの連結状態を平面的に説明する説明図。
【図６】第１実施形態に係る土木構築物用ブロックの製造工程を説明する説明図。
【図７】図６に続く工程を説明する説明図。
【図８】散水後の混合物層の変化状態を説明する説明図。
【図９】図７に続く工程を説明する説明図。
【図１０】図９に示す工程での礫層、砂層、コンクリートの関係を説明する説明図。
【図１１】図９に続く工程を説明する説明図。
【図１２】図１１に続く工程を説明する説明図。
【図１３】第２実施形態に係る土木構築物用ブロックを示す斜視図。
【図１４】第３実施形態に係る土木構築物用ブロックを説明する縦断面図。
【図１５】第４実施形態に係る土木構築物用ブロックを説明する平面図。
【符号の説明】
【００４６】
１  護岸構造
９  土木構築物用ブロック
１０  コンクリートベース
１０ａ  コンクリートベース表面
１１  自然石（石）
１２  礫層（表面層）
１２ａ  礫
２０  支持台
２１  透水性シート
２３  型枠
２７  水
２８  コンクリート
２９  一体化物
３１  凹所
３３  高圧水
【図１】
2006169860.tif 000003
【図２】
2006169860.tif 000004
【図３】
2006169860.tif 000005
【図４】
2006169860.tif 000006
【図５】
2006169860.tif 000007
【図６】
2006169860.tif 000008
【図７】
2006169860.tif 000009
【図８】
2006169860.tif 000010
【図９】
2006169860.tif 000011
【図１０】
2006169860.tif 000012
【図１１】
2006169860.tif 000013
【図１２】
2006169860.tif 000014
【図１３】
2006169860.tif 000015
【図１４】
2006169860.tif 000016
【図１５】
2006169860.tif 000017
【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に散水して、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記各石と前記礫層とを一体化する、
ことを特徴とする土木構築物用ブロックの製造方法。
【請求項２】
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に散水して、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記礫層を一体化する、
ことを特徴とする土木構築物用ブロックの製造方法。
【請求項３】
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に振動を与えて、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記各石と前記礫層とを一体化する、
ことを特徴とする土木構築物用ブロックの製造方法。
【請求項４】
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に振動を与えて、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記礫層を一体化する、
ことを特徴とする土木構築物用ブロックの製造方法。
【請求項５】
請求項１又は２において、
前記型枠として、上下開口を有するものが用いられ、
前記型枠が、排水孔を有する支持台上に透水性シートを介して載置されている、
ことを特徴とする土木構築物用ブロックの製造方法。
【請求項６】
請求項１〜４のいずれかにおいて、
前記型枠内からの前記コンクリートベースの脱型に際して、該型枠の上方領域において該コンクリートベースを、前記礫層が下側を向くようにしつつ吊り上げ、その状態で、該コンクリートベースに一体化した礫層に外力を付与する、
ことを特徴とする土木構築物用ブロックの製造方法。
【請求項７】
請求項６において、
前記コンクリートベースに一体化した礫層に外力を付与することが、高圧水の供給により行われる、
ことを特徴とする土木構築物用ブロックの製造方法。
【手続補正２】
【補正対象書類名】明細書
【補正対象項目名】全文
【補正方法】変更
【補正の内容】
【発明の詳細な説明】
【技術分野】
【０００１】
本発明は、土木構築物用ブロックの製造方法に関する。
【背景技術】
【０００２】
土木構築物用ブロックには、特許文献１に示すように、コンクリートベースに複数の自然石を部分的に突出させつつ埋設したものがある。このような土木構築物用ブロックを法面等の施工面に敷設してその施工面を覆うようにすれば、護岸等の土木構築物を簡単に構築できると共に、その土木構築物を周囲の自然景観に調和させることができることになる。
【特許文献１】特開平５−９６５１７号公報
【発明の開示】
【発明が解決しようとする課題】
【０００３】
しかし、上記土木構築物用ブロックにおいては、複数の自然石により周囲の自然景観に調和させることができるものの、コンクリートベース表面は、相変わらず、コンクリートがむき出しの状態にあり、周囲の自然景観に調和させることにも、自ずと限界がある。
【０００４】
本発明は、このような事情に鑑みてなされたもので、その技術的課題は、一層、周囲の自然景観に調和させることができる土木構築物用ブロックを製造する土木構築物用ブロックの製造方法を提供することにある。
【課題を解決するための手段】
【０００５】
上記技術的課題を達成するために本発明（請求項１に係る発明）にあっては、
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に散水して、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記各石と前記礫層とを一体化する構成としてある。この請求項１の好ましい態様としては、請求項５〜７の記載の通りとなる。
【０００６】
上記技術的課題を達成するために本発明（請求項２に係る発明）にあっては、
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に散水して、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記礫層を一体化する構成としてある。この請求項２の好ましい態様としては、請求項５〜７の記載の通りとなる。
【０００７】
上記技術的課題を達成するために本発明（請求項３に係る発明）にあっては、
コンクリートベースに複数の石が部分的に埋設されて、該各石がコンクリートベースの表面から突出され、該コンクリートベースの表面に、前記各石が存在する部分以外の部分において、礫を構成要素とした礫層が設けられている土木構築物用ブロックの製造方法であって、
先ず、型枠内に、該型枠下部において、礫と該礫よりも小さい砂との混合物からなる混合物層を形成すると共に、その混合物層に複数の石を部分的に埋設して該各石を混合物層から突出させた状態とし、
次に、前記混合物層に振動を与えて、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記各石と前記礫層とを一体化する構成としてある。この請求項３の好ましい態様としては、請求項６、７の記載の通りとなる。
【０００８】
上記技術的課題を達成するために本発明（請求項４に係る発明）にあっては、
コンクリートベースの表面に、礫を構成要素とした礫層が設けられている土木構築物用ブロックの製造方法であって、
先ず、型枠内に、該型枠下部において、礫と該礫よりも小さい砂との混合物からなる混合物層を敷き詰め、
次に、前記混合物層に振動を与えて、該混合物層を砂層と礫層とに分離すると共に該砂層を該礫層に比して下側に位置するようにし、
次に、前記型枠内に該型枠の上側からコンクリートを充填して、該型枠内で、コンクリートベースを作ると共に該コンクリートベースに対して前記礫層を一体化する構成としてある。この請求項４の好ましい態様としては、請求項６、７の記載の通りとなる。
【発明の効果】
【０００９】
請求項１に係る発明によれば、型枠内に、該型枠下部において、礫と該礫よりも小さい砂との混合物からなる混合物層を形成すると共に、その混合物層に複数の石を部分的に埋設して該各石を混合物層から突出させた状態とした上で、その型枠内へのコンクリートの充填前に、混合物層に散水することから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それらの層は、礫層が砂層よりも上側に位置することになる。このため、この後、型枠内にコンクリートを上側から充填すると、コンクリートは、各石の上部を包み込むと共に、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）に対し各石と礫層とが一体化することになる。これにより、型枠内のコンクリートの硬化後、それを脱型すれば、砂層が型枠内に残る一方、各石と礫層とが一体化したコンクリートベースが型枠内から取り出されることになり、当該土木構築物用ブロックを得ることができる。
この場合、一般的に存在する砂と礫との混合物に対して散水して、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できる。
【００１０】
また、混合物層に散水して、混合物層を砂層と礫層とに分離すると共に該砂層を該礫層に比して下側に位置するようにすることから、散水という極めて簡単で且つありふれた方法により、具体的に、混合物層を砂層と礫層とに分離できると共に該砂層を該礫層に比して下側に位置させることができる。
【００１１】
むろん、製造された上記土木構築物用ユニットは、コンクリートベース表面に設けられる表面層が、礫層に基づき外部に対して微少な凹凸面を形成することから、平坦な面に比して自然的な変化を印象づけることができ、複数の石と協働して、当該土木構築物用ブロックを周囲の自然景観に一層、調和させることができる。また、微少な凹凸面に基づき、植物、藻類（胞子を含む）の着生、苔類の発生を高めることができると共に底生動物の移動を容易にできることになり、各石の周囲を、動植物の生息空間として、より好ましいものにできる。
【００１２】
請求項２に係る発明によれば、型枠内に、該型枠下部において、礫と該礫よりも小さい砂との混合物からなる混合物層を敷き詰めた状態とした上で、その型枠内へのコンクリートの充填前に、混合物層に散水することから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それら層は、礫層が砂層よりも上側に位置することになる。このため、この後、型枠内にコンクリートを上側から充填すると、コンクリートは、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）には礫層が一体化することになる。これにより、型枠内のコンクリートの硬化後、それを脱型すれば、砂層が型枠内に残る一方、礫層が一体化したコンクリートベースが型枠内から取り出されることになり、コンクリートベースの表面に、礫を構成要素とした礫層が設けられている土木構築物用ブロックを得ることができる。
この場合、一般的に存在する砂と礫との混合物に対して散水して、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できる。
【００１３】
また、混合物層に散水して、混合物層を砂層と礫層とに分離すると共に該砂層を該礫層に比して下側に位置するようにすることから、散水という極めて簡単で且つありふれた方法により、具体的に、混合物層を砂層と礫層とに分離できると共に該砂層を該礫層に比して下側に位置させることができることになる。
【００１４】
むろん、製造された上記土木構築物用ユニットは、コンクリートベース表面に、その全体に亘って、礫を構成要素とした礫層が設けられていることから、礫（小石）の自然石としての色彩、特性を生かして、周囲の自然景観に一層、調和させることができるばかりでなく、礫層の微少な凹凸面に基づき、植物、藻類（胞子を含む）の着生、苔類の発生を高めることができると共に、底生動物の移動を容易にしてその礫層上での活動を活発にすることができる。
【００１５】
請求項３に係る発明によれば、型枠内に、該型枠下部において、礫と該礫よりも小さい砂との混合物からなる混合物層を形成すると共に、その混合物層に複数の石を部分的に埋設して該各石を混合物層から突出させた状態とした上で、その型枠内へのコンクリートの充填前に、混合物層に振動を与えることから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それらの層は、礫層が砂層よりも上側に位置することになる。このため、この後、型枠内にコンクリートを上側から充填すると、コンクリートは、各石の上部を包み込むと共に、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）に対し各石と礫層とが一体化することになる。これにより、型枠内のコンクリートの硬化後、それを脱型すれば、砂層が型枠内に残る一方、各石と礫層とが一体化したコンクリートベースが型枠内から取り出されることになり、前記請求項１に係る土木構築物用ユニットと同様の土木構築物用ブロックを得ることができる。
この場合、一般的に存在する砂と礫との混合物に対して振動を与えて、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できることになる。
また、混合物層に振動を与えて、該混合物層を砂層と礫層とに分離すると共に該砂層を該礫層に比して下側に位置するようにすることから、振動という極めて簡単で且つありふれた方法により、具体的に、混合物層を砂層と礫層とに分離できると共に該砂層を該礫層に比して下側に位置させることができることになる。
【００１６】
請求項４に係る発明によれば、型枠内に、該型枠下部において、礫と該礫よりも小さい砂との混合物からなる混合物層を敷き詰めた状態とした上で、その型枠内へのコンクリートの充填前に、混合物層に振動を与えることから、その外力に基づき、混合物層の各粒子のうち大きい粒子である礫が混合物層の上側に残る一方、各粒子の小さい粒子である砂が混合物層の下側に移動することになり、混合物層は、砂層と礫層とに分離すると共に、それら層は、礫層が砂層よりも上側に位置することになる。このため、この後、型枠内にコンクリートを上側から充填すると、コンクリートは、砂層に比べて密度が小さい（大きな空隙が多い）礫層では、その各礫周囲に行き渡って各礫を保持し、その一方、密度が大きい砂層ではそのコンクリートの通過が規制され（流下規制）、型枠内のコンクリート（コンクリートベース）には礫層が一体化することになる。これにより、型枠内のコンクリートの硬化後、それを脱型すれば、砂層が型枠内に残る一方、礫層が一体化したコンクリートベースが型枠内から取り出されることになり、前記請求項２に係る土木構築物用ユニットと同様の土木構築物用ブロックを得ることができる。
【００１７】
この場合、一般的に存在する砂と礫との混合物に対して振動を与えて、その両者の大きさ、重さの違いを利用することにより砂層と礫層とに分離し、その分離状態の砂層の特性（密度）と礫層の特性（密度）が巧みに利用される。すなわち、礫層に対してはその密度が小さいことを利用してコンクリートが進入し易くされ、その礫層の下側に位置する砂層に対しては、その密度が大きいことを利用してコンクリートが進入しにくくされる。このため、ありふれた物質、現象を利用して、コンクリートベースに礫層を的確に一体化できることになる。
【００１８】
また、混合物層に振動を与えて、該混合物層を砂層と礫層とに分離すると共に該砂層を該礫層に比して下側に位置するようにすることから、振動という極めて簡単で且つありふれた方法により、具体的に、混合物層を砂層と礫層とに分離できると共に該砂層を該礫層に比して下側に位置させることができることになる。
【００１９】
請求項５に係る発明によれば、型枠として、上下開口を有するものが用いられ、その型枠が、排水孔を有する支持台上に透水性シートを介して載置されていることから、型枠内の混合物層に散水された水は、透水性シート、支持台の排水孔を介して排水されることになり、その連続水に乗せて混合物層の砂を混合物層の下側領域に的確に集める（移動させる）ことができることになる。
【００２０】
請求項６に係る発明によれば、型枠内からのコンクリートベースの脱型に際して、該型枠の上方領域において該コンクリートベースを、前記礫層が下側を向くようにしつつ吊り上げ、その状態で、該コンクリートベースに一体化した礫層に外力を付与することから、礫として、コンクリートベースに強固に固着されているもののみを残り、コンクリートベースに対して一体化力の弱いものは型枠内に脱離することになる。このため、コンクリートベースに対する礫層の一体化強度を所定以上に確保できると共に、脱離された礫を型枠内に回収して、その礫を再度利用できることになる。
【００２１】
請求項７に係る発明によれば、コンクリートベースに一体化した礫層に外力を付与することが、高圧水の供給により行われることから、不安定な吊り上げ状態にあっても、コンクリートベースに一体化している礫層に対して外力を的確に付与することができることになり、前記請求項６と同様の作用効果を具体的且つ的確に得ることができることになる。
【発明を実施するための最良の形態】
【００２２】
以下、本発明の実施の形態について図面を参照して詳細に説明する。
図１〜図１２は第１実施形態を示す。その第１実施形態に係る護岸構造１においては、図１に示すように、施工面（法面）２が河川５側から陸上側に向うに従って上方に向って延びるよう傾斜されている。その施工面２の下端位置には基礎ブロック３が河川水の流れ方向（紙面直角方向）に延びるようにして配置され、その施工面２の上端位置には天端ブロック４が河川水の流れ方向（紙面直角方向）に延びるようにして配置されている。
【００２３】
前記施工面２上には、その全体において、図１に示すように、吸い出し防止シート又は防草防根シートとして敷設シート８が敷設されている。敷設シート８は、透水性、通気性を確保しつつ、土砂等の流失を防止すると共に、植物の根が地中に向けて成長することを抑制する機能（強度）、防草機能を有しており、その機能を発揮するため、その敷設シート８として、例えば、ポリエステル等の長繊維不織布等が用いられている。
【００２４】
前記施工面２上には、図１〜図３に示すように、護岸機能を発揮することを主目的として、前記敷設シート８を介して複数の土木構築物用ブロック９が敷設されている。この複
数の土木構築物用ブロック９は、護岸表面に配置されて、施工面（敷設シート８）２のほぼ全体を覆うことになっている。
【００２５】
尚、図１においては、施工面２の下半分と上半分とで土木構築物用ブロック９群が異なった状態で示されているが、いずれも同じ土木構築物用ブロック９が用いられており、土木構築物用ブロック９の状態を理解し易くするため、便宜上、上半分の土木構築物用ブロック９群については、植物６が部分的に生育されている状態が示されている。これらの各内容については、後に詳述する。
【００２６】
前記各土木構築物用ブロック９は、図２〜図４に示すように、コンクリートベース１０と、複数の石としての自然石１１と、表面層としての礫層１２とを備えている。コンクリートベース１０は、一定厚みの下で平面視略正方形状に形成されている。具体的には、厚みが１３０ｍｍ前後、その正方形状の一辺が１０００ｍｍ前後とされている。このコンクリートベース１０の周面は、その四隅において角部が取られて、角面１３がそれぞれ形成されており、その各角面１３は、互いに対角配置にあるものに関し、平行状態とされている。また、コンクリートベース１０には、正方形状の各辺が位置する周面において、凹所１４がそれぞれ形成されている。この各凹所１４は、各辺の延び方向略中央部に位置されて、その周面部分が内方に引っ込むように形成されており、その各凹所１４は、各辺の延び方向における長さである幅間隔は、内方に向うに従って狭まることになっている。
尚、コンクリートベース１０の上面周縁部に面取りが施されており、その面取り部分を符号３４をもって示す。
【００２７】
前記複数の自然石１１は、図２〜図４に示すように、前記コンクリートベース１０に該コンクリートベース１０の表面１０ａから突出するように設けられている。この各自然石１１としては、例えば１０〜３０ｃｍ程度のものもが用いられ、その自然石１１の２／３程度の部分がコンクリートベース１０内に埋め込まれ、残りの１／３程度の部分（上部：５０ｍｍ程度）がコンクリートベース表面１０ａから上方に突出されている。この各自然石１１の上部は、コンクリートベース表面１０ａに満遍なく配置されていると共に、他の自然石１１に対してある程度、離間された状態となっており、美観が考慮されている。
【００２８】
前記礫層１２は、図２〜図４に示すように、前記コンクリートベース１０の表面１０ａに設けられている。この礫層１２は、本実施形態においては、１０ｍｍ以下の礫（小石）１２ａをもって層状に構成されており、その礫層１２は、前記複数の自然石１１が存在しないコンクリート表面１０ａ部分において設けられている。この礫層１２の各礫１２ａは、コンクリートベース１０の表面１０ａ部に保持され、その各礫１２ａに基づき、礫層１２の表面には微少な凹凸面が形成されている。
【００２９】
前記コンクリートベース１０の各角面１３には、図３、図４に示すように、連結部１５が突出するようにそれぞれ設けられている。この連結部１５は、略Ｕ字形状に形成されており、その連結部１５に対して、他のコンクリートベース１０の連結部１５との連結のために、連結具としての連結コイル１６（図５参照）が連結できることになっている。本実施形態においては、図３、図４に示すように、対向配置される角面１３から突出する２つの連結部１５が、連結線部１７をもって一体的に連結されており、その連結線部１７はコンクリートベース１０内において、対向配置される角面１３間において延びるように配置されることになっている。
【００３０】
このような土木構築物用ブロックは、図２に示すように、敷設シート８（施工面２）上において隣り合うことになる土木構築物用ブロック９に対して各辺が突き合わせるように配置され、各土木構築物用ブロック９の角部においては、図５に示すように、それを含む４つの土木構築物用ブロック９の角面１３が区画空間１８を形成し、その区画空間１８内
にその４つの土木構築物用ブロック９の連結部１５が配置されることになっている。この４つの連結部１５は、連結コイル１６により一体化され、各土木構築物用ブロック９は、互いに連結されることになっている。
また、各隣り合う土木構築物用ブロック９は、その各土木構築物用ブロック９の凹所１４が協働して区画空間１９を形成することになっており、その各区画空間１９には、土が投入されて植物６が生育されることになっている。
【００３１】
尚、施工面２の下部に関しては、当該土木構築物用ブロック９の敷設後、埋め戻されて、その上方側に床面（河床等）が形成されることになっている。
【００３２】
したがって、護岸構造１において、各コンクリートベース表面１０ａに設けられる表面１０ａ層が、礫層１２をもって微少な凹凸面を形成していることから、礫１２ａの自然石１１としての色彩、特性を生かし、平坦な面に比して自然的な変化を印象づけることができることになり、複数の自然石１１と協働して、当該土木構築物用ブロック９を周囲の自然景観に調和させることができることになる。
また、礫層１２の微少な凹凸面に基づき、植物、藻類（胞子を含む）の着生、苔類の発生を高めることができると共に底生動物の移動を容易にできることになり、各自然石１１の周囲を、動植物の生息空間として、より好ましいものとすることができることになる。
【００３３】
次に、上記土木構築物用ブロック９の製造方法について説明する。
先ず、図６に示すように、支持台２０上に透水性シート２１を敷き、その透水性シート２１上に型枠２３を載置する。
前記支持台２０としては、その上部２０ａに排水孔（図示略）を有するものが用いられており、その支持台２０の上部２０ａに水が供給されても、その水は下方側に排水されることになっている。具体的には、この支持台２０は、荷役搬送用のいわゆるパレットと同様の構成とされており、その支持台２０には、その上部２０ａと下部２０ｂとの間において、フォークリフトのフォーク部を挿入するためのフォーク部挿入口２２が設けられていると共に、その上部２０ａには、フォーク部挿入口２２に上部２０ａ上方が臨むようにすべく、構成材を用いて、前記排水孔としてスリット（図示略）が形成されている。
前記透水性シート２１としては、前記敷設シート８と同様、通気性、透水性を有していると共に、土砂等の通過を規制する機能を有するものが用いられている。
前記型枠２３としては、前記コンクリートベース１０を形成すべく、一辺が１０００ｍｍ前後とされた平面視正方形状とされ、その上下面が開口されたものが用いられている。この型枠２３の下面２０ｂ開口は、支持台２０に対する載置時に、透水性シート２１により覆われることになっており、そのとき、その透水性シート２１は型枠２３の底面を構成することになる。
【００３４】
次に、図７に示すように、型枠２３内に、該型枠２３下部において、礫１２ａと該礫１２ａよりも小さい砂２４ａとからなる混合物層２５を形成すると共に、その混合物層２５に複数の自然石１１を部分的に埋設して該各自然石１１を混合物層２５から突出させた状態とする。
この場合、複数の自然石１１を型枠２３内に配置してから、礫１２ａ、砂２４ａからなる混合物層２５を型枠２３内下部に形成してもよいし、混合物層２５を型枠２３内下部に形成してから、その混合物層２５に各自然石１１の一部が埋設されるようにして該各自然石１１を混合物層２５から突出させるようにしてもよい。
【００３５】
次に、図７に示すように、型枠２３内の混合物層２５に対して、外力を付与すべく、散水する。混合物層２５を、砂層２４と礫層１２とに分離すると共に、その砂層２４を礫層１２よりも下側に位置させるためである。
前記散水は、通常の供給ホース２６を通じて水２７を混合物層２５に供給することにな
るが、その水２７は、図７に示すように、混合物層２５、透水性シート２１、支持台２０の上部２０ａ（排水孔（スリット））を通過して外部に排水されることになっている。
この場合、混合物層２５に水２７が供給されると、礫１２ａよりも径が小さい砂２４ａが水２７の流れに乗って下方側に移行することになるが、礫１２ａは、径が砂２４よりも大きいことから、互いが衝突しあって下方に流れることが規制され、図８に示すように、砂層２４が礫層１２よりも下方側に位置されることになる。このため、礫層１２では比較的大きな空隙を形成しつつ空隙率が大きくなり、砂層２４では、砂２４ａが礫１２ａよりもかなり小さいことに基づき空隙率は小さくなる（密度が高められる）。
【００３６】
次に、図９に示すように、型枠２３の上側から、該型枠２３内にコンクリート２８を充填する。型枠２３の空間部分にコンクリート２８を充填してコンクリートベース１０を形成するためである。
この場合、礫層１２の空隙率が比較的大きな空隙をもって大きくされ、砂層２４が緻密な状態にあることから、図１０に示すように、コンクリート２８は、礫層１２内に進入する一方、砂層２４によりその流下が止められ、礫層１２の各礫１２ａはコンクリート２８により保持されることになる。尚、図９中、符号３２はシャベルである。
【００３７】
次に、図１１に示すように、型枠２３内のコンクリート２８の硬化を待って、脱型を行う。この脱型においては、コンクリート２８が砂層２４内に進入できないことから、礫層１２とコンクリートベース１０の一体化物２９が脱型されることになる。
この脱型に際しては、一体化物２９は、しばらくの間、礫層１２側を下方に向けつつ、吊り上げられた状態とされ、その吊り上げ状態において、外力として高圧水３３を前記一体化物２９の礫層１２に付与する。コンクリートベース１０の表面１０ａに対して弱い一体化力をもって一体化している礫１２ａを払い落として、礫層１２として、コンクリートベース１０の表面１０ａに強固に一体化しているもの（一定の一体化強度以上のもの）のみを確保するためである。この場合、この一体化物２９の吊り上げ状態は、型枠２３の上方領域において維持される。高圧水２７により払い落とされる砂２４を型枠２３内（支持台２０）で受け止めて、砂２４の回収を容易にするためである。
【００３８】
この後、図１２に示すように、一体化物２９を、礫層１２側が上を向くように反転させた状態で所定位置に置き、当該土木構築物用ブロック９を得る。
【００３９】
図１３は第２実施形態、図１４は第３実施形態、図１５は第４実施形態を示す。この各実施形態において、前記第１実施形態と同一構成要素については同一符号を付してその説明を省略する。
【００４０】
図１３に示す第２実施形態は、コンクリートベース１０の表面１０ａ全体に対して礫層１２が一体的に設けられたものを示している。この第実施形態に係る土木構築物用ユニットにおいても、礫１２ａ（小石）の自然石としての色彩、特性を生かすことができることになり、周囲の自然景観に調和させることができることになる。
また、礫層１２の表面１０ａにおいて、微少な凹凸面、微少な空隙を得ることができることになり、植物、藻類（胞子を含む）の着生、苔類の発生を高めることができると共に、底生動物の移動を容易にしてその礫層１２上での活動を活発にすることができることになる。
【００４１】
図１４に示す第３実施形態は、土木構築物用ブロック９を製造するに際して、前記第１実施形態に係る製造方法とは異なる方法により製造するための土木構築物用ブロック９の部品３０を示す。この土木構築物用ブロック９の部品３０は、コンクリートベース１０の表面１０ａに、自然石１１の一部を収納するための凹所３１が複数形成されていると共に、その各凹所３１を除くコンクリートベース表面１０ａにおいて、礫層１２が一体的に設
けられている。この土木構築物用ブロック９の部品３０は、土木構築物用ブロック９の製造に際して、その各凹所３１内に接着剤、コンクリート等（図示略）が投入されると共に自然石１１の一部（全体の２／３程度）が収納され、コンクリートベース１０に各自然石１１が固着されることになっている。これにより、コンクリートベース１０の表面１０ａから各自然石１１の一部が突出すると共に、そのコンクリートベース１０の表面１０ａに礫層１２が一体的に設けられた土木構築物用ブロック９が製造されることになる。
上記第３実施形態においては、凹所３１が礫層１２とコンクリートベースとに対して形成されているが、礫層１２の厚みが厚くなるときには礫層１２のみ凹所３１を形成してもよい。
【００４２】
図１５に示す第４実施形態は、コンクリートベース１０の周縁部における一部の凹所１４を比較的大きな円弧状に形成したものを示している。これにより、当該コンクリートベース１０を用いた土木構築物用ブロック９を施工面２（敷設シート８）上に敷設した場合には、隣り合うコンクリートベース１０間において、大きな円状の区画空間１９が形成されることになり、その区画空間に土を投入して植物を繁茂させることができることになる。
【００４３】
以上実施形態について説明したが本発明にあっては、次のような態様を包含する。
（１）石として、自然石１１の他に、擬石等を用いること。
（２）河川５における護岸１を対象とする場合に限らず、湖水２７、海における護岸等にも本発明を適用すること。
（３）混合物層２５を砂層２４と礫層１２とに分離すると共に砂層２４を礫層１２の下側に位置させるために、外力付与手段として、バイブレータ等を用い、そのバイブレータ等による振動を混合物層２５に付与すること。
（４）セラミックス、瓦、スラグ、ガラス等を単一的又は複合的に１０ｍｍ以下に破砕し、それを構成要素として表面層を形成すること。
【００４４】
尚、本発明の目的は、明記されたものに限らず、実質的に好ましい或いは利点として記載されたものに対応したものを提供することをも含むものである。
【図面の簡単な説明】
【００４５】
【図１】第１実施形態に係る護岸構造を説明する説明図。
【図２】第１実施形態に係る土木構築物用ブロックの敷設状態を示す斜視図。
【図３】第１実施形態に係る土木構築物用ブロックを示す斜視図。
【図４】第１実施形態に係る土木構築物用ブロックを示す縦断面図。
【図５】各土木構築物用ブロックの連結状態を平面的に説明する説明図。
【図６】第１実施形態に係る土木構築物用ブロックの製造工程を説明する説明図。
【図７】図６に続く工程を説明する説明図。
【図８】散水後の混合物層の変化状態を説明する説明図。
【図９】図７に続く工程を説明する説明図。
【図１０】図９に示す工程での礫層、砂層、コンクリートの関係を説明する説明図。
【図１１】図９に続く工程を説明する説明図。
【図１２】図１１に続く工程を説明する説明図。
【図１３】第２実施形態に係る土木構築物用ブロックを示す斜視図。
【図１４】第３実施形態に係る土木構築物用ブロックを説明する縦断面図。
【図１５】第４実施形態に係る土木構築物用ブロックを説明する平面図。
【符号の説明】
【００４６】
１  護岸構造
９  土木構築物用ブロック
１０  コンクリートベース
１０ａ  コンクリートベース表面
１１  自然石（石）
１２  礫層（表面層）
１２ａ  礫
２０  支持台
２１  透水性シート
２３  型枠
２７  水
２８  コンクリート
２９  一体化物
３１  凹所
３３  高圧水